(57)【要約】      （修正有）【課題】特定の利用者が優先して目的階床でのみ停止するように利用でき、又は特定の時間帯だけ目的階床のみを行き来するようなエレベータ制御システムを提供する。【解決手段】認証制御装置１０５にて認証後一定時間操作可能な呼び出し釦１０７でエレベータかご１０４を呼び出し、停止釦１０８で押下した階に移動停止する認証優先エレベータと、特定の時間帯の間、予め設定された時間優先停止階にのみ移動停止を繰り返す時間優先エレベータと、停止釦１０８と呼び出し釦１０７が押下された階に移動停止を繰り返す通常エレベータとによる運用を切り替える。【選択図】図１
2015040090.tif 000002
【特許請求の範囲】
【請求項１】
優先エレベータ管理データベースと、優先エレベータ制御装置と、エレベータかご制御装置と、認証制御装置とを有する、優先エレベータ制御システムであって、
前記優先エレベータ管理データベースが、
時間帯区分、時間優先停止階及び利用頻度が登録された時間帯管理テーブルと、
最低利用回数、最高利用回数及び時間優先エレベータ台数が登録された時間優先エレベータ台数管理テーブルと、
前記認証制御装置にて認証された認証要求を受け付けた階及び認証件数が登録された認証件数管理テーブルと、
最低認証人数、最高認証人数及び認証優先エレベータ台数が登録された認証優先エレベータ台数管理テーブルと、
エレベータかご毎に運用方法及び停止階が登録された運用管理テーブルとを記憶し、
前記優先エレベータ制御装置が、
現在の時刻を取得する現在時刻認知手段と、
前記利用頻度及び時間優先エレベータ台数管理テーブルに登録された情報に基づいて、時間優先エレベータ運用台数を求める時間管理手段と、
前記認証件数及び認証優先エレベータ台数管理テーブルに登録された情報に基づいて、認証優先エレベータ運用台数を求める認証管理手段と、
前記時間優先停止階、時間優先エレベータ運用台数、認証された認証要求を受け付けた階及び認証優先エレベータ運用台数を取得して、前記運用管理テーブルを作成する優先エレベータ設定手段とを備え、
前記エレベータかご制御装置が、前記運用管理テーブルを取得して、エレベータかごの運用の制御を行うことを特徴とする、優先エレベータ制御システム。
【発明の詳細な説明】
【技術分野】
【０００１】
この発明は、エレベータ装置の運転を制御するエレベータの制御システムに関するものである。
【背景技術】
【０００２】
従来より、ビル等では上下階の移動に階段だけでは利用者に負担がかかるため、利用者自身が階段で移動せずにすむ移動手段(エスカレーター及びエレベータ)が不可欠なものとなっている。
【０００３】
最近では、エレベータにも、認証装置を使って利用者による停止階の利用を制限させたり、遠隔でエレベータを呼び出したり、色々な機能が追加されている。
【０００４】
例えば、訪問者が集合住宅の共用玄関に設置されている呼び出し装置から電話網で、集合住宅内の住居人を呼び出すことができ、呼び出した後、訪問宅の住居人が、住宅玄関に設けたオートロックの開錠信号をテレコントロール装置に送信することで、共用玄関に設けたオートロックドアを一時的に開き、集合住宅内に設置された複数階床からなるエレベータの乗り場呼び釦及びエレベータの乗りかご内の行先階登録釦を操作無効にしていても、集合住宅内の居住人の訪問客を、集合玄関階床から訪問階床にのみ、円滑に移動させることを可能にするというような技術がある(特許文献１参照)。
【０００５】
また、乗客を識別する個人認識装置を乗場に設置し、あらかじめ上記乗客ごとの行先階を記憶させておく行先記憶手段と、上記個人識別装置によって識別された乗客について上記行先記憶手段に記憶された行先階のかご呼びを登録するかご呼び自動登録手段とを備えてなるエレベータの呼び登録装置があり、これによれば、乗客はエレベータ内で停止釦を押下しなくても、自動的に行先階でエレベータが停止させることができる（特許文献２参照）。
【先行技術文献】
【特許文献】
【０００６】
【特許文献１】特開２００５−２１２９４０号公報
【特許文献２】特開平５−１９３８４２号公報
【発明の概要】
【発明が解決しようとする課題】
【０００７】
百貨店などの大勢の人が利用する建物の場合、お年寄りや大きな荷物を持つ人、車椅子を使用している人がエレベータを利用したい場面で、既に他の利用者が大勢いて利用できないことや、エレベータで大勢の利用者が共通の目的のある階に移動したい場合でも、他の階に移動する目的を持った人がいると影響を受けてしまうというような問題がある。しかし、上述したような従来の技術では、この問題を解決できない。
【０００８】
そこで、本発明の目的は、エレベータを利用したい特定の利用者が、優先して移動できるように認証装置を利用した時だけエレベータを優先して呼び出し、目的階床でのみ停止し、又は特定の時間帯だけ目的階床のみを行き来するようなエレベータ制御システムを提供することにある。
【課題を解決するための手段】
【０００９】
上記目的を達成するため、本発明の優先エレベータ制御システムは、優先エレベータ管理データベースと、優先エレベータ制御装置と、エレベータかご制御装置と、認証制御装置とを有する、優先エレベータ制御システムであって、前記優先エレベータ管理データベースが、時間帯区分、時間優先停止階及び利用頻度が登録された時間帯管理テーブルと、最低利用回数、最高利用回数及び時間優先エレベータ台数が登録された時間優先エレベータ台数管理テーブルと、前記認証制御装置にて認証された認証要求を受け付けた階及び認証件数が登録された認証件数管理テーブルと、最低認証人数、最高認証人数及び認証優先エレベータ台数が登録された認証優先エレベータ台数管理テーブルと、エレベータかご毎に運用方法及び停止階が登録された運用管理テーブルとを記憶し、前記優先エレベータ制御装置が、現在の時刻を取得する現在時刻認知手段と、前記利用頻度及び時間優先エレベータ台数管理テーブルに登録された情報に基づいて、時間優先エレベータ運用台数を求める時間管理手段と、前記認証件数及び認証優先エレベータ台数管理テーブルに登録された情報に基づいて、認証優先エレベータ運用台数を求める認証管理手段と、前記時間優先停止階、時間優先エレベータ運用台数、認証された認証要求を受け付けた階及び認証優先エレベータ運用台数を取得して、前記運用管理テーブルを作成する優先エレベータ設定手段とを備え、前記エレベータかご制御装置が、前記運用管理テーブルを取得して、エレベータかごの運用の制御を行うことを特徴とする。
【発明の効果】
【００１０】
本発明によれば、特定の利用者が優先して移動できるように認証を利用した時だけエレベータを優先して呼び出し、目的階床でのみ停止する、または、特定の時間帯だけ目的階床のみを行き来するようなエレベータ制御システムを提供することで、運送効率を向上することができる。
【図面の簡単な説明】
【００１１】
【図１】図１は本発明による優先エレベータ制御システムのシステム構成の一例を示す図である。
【図２】図２は優先エレベータ制御装置の内部構成の一例を示す図である。
【図３】図３は時間帯管理テーブルのテーブル構成の一例を示す図である。
【図４】図４は時間優先エレベータ台数管理テーブルのテーブル構成の一例を示す図である。
【図５】図５は認証件数管理テーブルのテーブル構成の一例を示す図である。
【図６】図６はソート後の認証件数管理テーブルのテーブル構成の一例を示す図である。
【図７】図７は認証優先エレベータ台数管理テーブルのテーブル構成の一例を示す図である。
【図８】図８は運用管理テーブルのテーブル構成の一例を示す図である。
【図９】図９は更新後の運用管理テーブルのテーブル構成の一例を示す図である。
【図１０】図１０はエレベータかご管理テーブルのテーブル構成の一例を示す図である。
【図１１】図１１は各運用方法で運用するエレベータ台数算出処理の一例を示すフローチャートである。
【図１２】図１２は運用方法切り替え処理の一例を示すフローチャートである。
【発明を実施するための形態】
【００１２】
本発明の実施形態に係る優先エレベータ制御システムについて図面を参照しながら以下に説明する。
【００１３】
図１は、本発明の実施形態に係る優先エレベータ制御システムの構成の一例を示している。
本発明の実施形態に係る優先エレベータ制御システムは、優先エレベータ制御装置１０１と、優先エレベータ管理ＤＢ（データベース）１０３と、エレベータかご制御装置１０２と、認証制御装置１０５で構成される。
【００１４】
優先エレベータ管理ＤＢ１０３は、各運用方法の設定を行なう上で必要となる情報を格納する。具体的には、優先エレベータ管理ＤＢ１０３は、時間帯管理テーブルと、時間優先エレベータ台数管理テーブルと、認証件数管理テーブルと、認証優先エレベータ台数管理テーブルと、運用管理テーブルとを有している。
【００１５】
優先エレベータ制御装置１０１は、エレベータかご１０４の運用方法と各運用方法でエレベータかご１０４を運用する台数を設定する。
【００１６】
優先エレベータ制御装置１０１は、図２に示すように、認証管理部２０３と、時間管理部２０１と現在時刻認知部２０２と優先エレベータ設定部２０４を持つ。時間管理部２０１には現在時刻認知部２０２が接続されている。
【００１７】
現在時刻認知部２０２は、現在の時刻を取得し、時間管理部２０１に送信する機能を有する。例えば、現在時刻認知部２０２は、内蔵した電波時計から現在時刻を取得し、時間管理部２０１に取得した現在時刻を送信する。
【００１８】
時間管理部２０１は、現在時刻が予め優先エレベータ管理ＤＢ１０３に登録されている時間帯に含まれるかどうか判定する。時間管理部２０１は、時間帯管理テーブルを作成し、更新し、検索し、及び削除する機能と、時間帯管理テーブルからデータを取得し、優先エレベータ設定部２０４に送信する機能と、時間優先エレベータ台数管理テーブルを作成し、更新し、検索し、及び削除する機能を有している。
【００１９】
認証管理部２０３は、認証制御装置１０５から取得した情報を処理する。認証管理部２０３は、認証件数管理テーブルを作成し、更新し、検索し、及び削除する機能と、認証件数管理テーブルからデータを取得し、優先エレベータ設定部２０４へ送信する機能と、認証優先エレベータ台数管理テーブルを作成し、更新し、検索し、及び削除する機能を有している。
【００２０】
優先エレベータ設定部２０４は、時間管理部２０１及び認証管理部２０３で得られた情報を元にエレベータかご１０４の運用方法とエレベータかご１０４の運用台数を設定する。優先エレベータ設定部２０４は、運用管理テーブルを作成し、更新し、検索し、及び削除する機能を有している。
【００２１】
なお、優先エレベータ制御装置１０１は、例えば、ＣＰＵ（Ｃｅｎｔｒａｌ  Ｐｒｏｃｅｓｓｉｎｇ  Ｕｎｉｔ）と、メモリと、記憶装置とを備えている。記憶装置は、優先エレベータ制御プログラムを記憶している。ＣＰＵが記憶装置からメモリに優先エレベータ制御プログラムを読み出して実行することにより、優先エレベータ制御装置１０１の機能が実現される。
【００２２】
エレベータかご制御装置１０２は、優先エレベータ制御装置１０１で処理した情報を取得して、これに基づいて各エレベータかご１０４の移動、停止を制御する。エレベータかご制御装置１０２は、エレベータかご１０４と、音声装置１０６と、停止釦１０８と、呼び出し釦１０７と、エレベータかご制御ＤＢ（データベース）１１１に接続されている。
エレベータかご制御ＤＢ１１１は、エレベータかご管理テーブルを有している。
【００２３】
エレベータかご制御装置１０２は、従来のエレベータかご制御装置の機能に加えて、エレベータかご管理テーブルを作成し、更新し、検索し、及び削除する機能と、各エレベータかご１０４の運用を時間優先エレベータ、認証優先エレベータ及び／又は通常エレベータに切り替える機能を有している。
【００２４】
認証制御装置１０５は、エレベータホール１１０に設けられた認証装置１０９と接続しており、認証装置１０９で受け付けた認証要求の可否を判定する。具体的には、認証制御装置１０５は、認証装置１０９から受信した認証要求情報を元に認証可否を判定する機能と、各階の認証要求を検知し、認証が行われた階と認証可否の判定を行った結果を認証管理部２０３に送信する機能と、認証可否の結果を各階の認証装置１０９に送信する機能とを有している。
【００２５】
認証装置１０９は、認証要求を検知すると、認証制御装置１０５に検知した情報を送信する機能と、認証制御装置１０５から認証可否の判定の結果を受け、認証可能な場合は、一定時間だけ連動している呼び出し釦１０７を操作可能にする機能とを有している。
なお、認証装置１０９の認証には、例えば、ＩＣカード、生体認証などを利用することができる。
【００２６】
エレベータかご１０４と、音声装置１０６と、停止釦１０８と、呼び出し釦１０７の機能については、ほぼ従来の技術と同様であるため省略する。
【００２７】
本発明の優先エレベータ制御システムは、通常エレベータと、時間優先エレベータと、認証優先エレベータとによる運用方法の切り換えを制御する。それぞれの運用方法は、予め設定されている利用頻度に対応するエレベータの台数から、実際の利用頻度に応じて運用するエレベータの台数を切り替えることを可能とする。
【００２８】
ここで、通常エレベータとは、従来のエレベータと同様に、停止釦１０８と呼び出し釦１０７が押下された階に移動、停止を繰り返す運用を意味する。即ち、通常エレベータ運用中に停止釦１０８を押すことができる。そして、停止釦１０８が押されている場合、及び途中の階で呼び出し応答がある（呼び出し釦１０７が押された）場合は、それぞれ該当の階に停止する。なお、停止した階では、運用方法の通知はしない。
【００２９】
時間優先エレベータとは、特定の時間帯の間、予め設定された時間優先停止階にのみ移動、停止を繰り返す運用を意味する。即ち、時間優先エレベータ運用中に停止釦１０８は押せない。しかし、時間優先エレベータに切り替わった時点で、既に停止釦１０８が押されていた場合は、その階に停止する。停止した階では、時間優先エレベータ運用中であることを通知する。また、途中の階で呼び出しがあってもこれに応じず、予め設定された時間優先停止階にのみ移動、停止する。
【００３０】
認証優先エレベータとは、認証後一定時間操作可能な呼び出し釦１０７でエレベータかご１０４を呼び出し（即ち、エレベータかご１０４は、認証された認証要求を受け付け、認証後一定時間内に呼び出し釦１０７が押下された階へ移動し、停止する）、停止釦１０８で押下した階に移動、停止する運用を意味する。また、認証優先エレベータに切り替わった時点で、既に停止釦１０８が押されていた場合は、その階にも停止する。停止した階では、認証優先エレベータ運用中であることを通知する。途中の階で呼び出しがあってもこれに応じず、認証後一定時間内に呼び出し釦１０７でエレベータかご１０４を呼び出し、停止釦１０８で押下した階にのみ移動、停止する。
【００３１】
なお、時間優先エレベータと認証優先エレベータが同時に運用される場合、時間優先エレベータより認証優先エレベータの運用を優先する（具体的には、時間優先エレベータ運用中に、認証要求を受け付け、認証された場合には、運用方法を切り替えて、認証優先エレベータとして運用を開始することがある。また認証優先エレベータとして運用するエレベータかご１０４の数を時間優先エレベータとして運用するエレベータかご１０４の数よりも優先させることがある。）。
【００３２】
図３は優先エレベータ管理ＤＢ１０３の時間帯管理テーブルのデータ構成図である。図示のものは、１つの特定時間帯の定義の一例である。
【００３３】
時間帯管理テーブルのデータは、ＩＤ３０１と、時間優先エレベータとして運用したい時間の開始時間を設定する時間帯区分Ａ３０２と、その終了時間を設定する時間帯区分Ｂ３０３と、時間優先エレベータとして停止させたい階を設定する時間優先停止階Ａ３０４及び時間優先停止階Ｂ３０５と、前日の時間帯区分Ａ３０２から時間帯区分Ｂ３０３までの時間帯に時間優先エレベータとして利用された回数が設定される前日の利用頻度３０７と当日の時間帯区分Ａ３０２から時間帯区分Ｂ３０３までの時間帯に時間優先エレベータとして利用された回数が設定される当日の利用頻度３０６で構成されている。
なお、時間優先停止階として、本実施形態では、時間優先停止階Ａ３０４及び時間優先停止階Ｂ３０５が設定されているが、時間優先停止階は、２つの階に限られないため、３つ以上の階を時間優先停止階として設定することも可能である。
【００３４】
管理者が登録（入力）する情報は、時間帯区分Ａ３０２と、時間帯区分Ｂ３０３、および、時間優先停止階Ａ３０４と時間優先停止階Ｂ３０５である。
【００３５】
図４は，時間優先エレベータ台数管理テーブルであり、時間管理部２０１が前日の利用頻度３０７から時間優先エレベータとして運用する台数を求めるためのデータ構成図の一例である。
【００３６】
図４は、ＩＤ４０１と、時間優先エレベータの最低利用回数を定義した最低利用回数４０２と、最高利用回数を定義した最高利用回数４０３と、時間優先エレベータとして運用する優先エレベータ台数を定義した時間優先エレベータ台数４０４からなる。
【００３７】
管理者が登録（入力）する情報は、最低利用回数４０２と、最高利用回数４０３、および、時間優先エレベータ台数４０４である。管理者は時間優先エレベータ台数４０４を更新することで、時間優先エレベータとして運用するエレベータの台数を任意に変更することができる。
【００３８】
時間帯区分Ａ３０２から時間帯区分Ｂ３０３で定義されている時間帯に、前日の利用頻度３０７に対応する時間優先エレベータ台数４０４で定義されている台数分のエレベータかご１０４が時間優先エレベータとして運用される。
【００３９】
時間管理部２０１は、現在時刻認知部２０２から受信した現在時刻を、時間帯管理テーブルの時間帯区分Ａ３０２から時間帯区分Ｂ３０３の間に含むＩＤ３０１が存在するか検索し、該当ＩＤ３０１が存在する場合、該当ＩＤ３０１の前日の利用頻度３０７の情報を取得する。
取得した前日の利用頻度３０７の情報を、時間優先エレベータ台数管理テーブルの最低利用回数４０２と最高利用回数４０３との間に含むＩＤ４０１を検索し、該当ＩＤ４０１の時間優先エレベータ台数４０４を取得する。即ち、時間管理部２０１は、時間優先エレベータ運用台数を求め、取得する。時間管理部２０１は、該当ＩＤ３０１の時間優先停止階Ａ３０４、時間優先停止階Ｂ３０５の情報と、時間優先エレベータ台数４０４（時間優先エレベータ運用台数）の情報を優先エレベータ設定部２０４に送信する。
【００４０】
例えば、図３のＩＤ３０１の１１１１の項目を見ると、１１：００から１１：５９の間、１Ｆと８Ｆのみを行き来する時間優先エレベータの前日の利用頻度は１５回である。この場合、利用頻度を満たす図４のＩＤ４０１はＩＤの１に該当するため、時間優先エレベータ制御で運用する台数は３台となるため、時間管理部２０１は、時間優先エレベータで運用する台数が３台の情報を取得する。時間管理部２０１は、時間優先停止階Ａ３０４と、時間優先停止階Ｂ３０５と、時間優先エレベータ台数４０４（時間優先エレベータ運用台数）の情報を優先エレベータ設定部２０４に送信する。
【００４１】
図５は、各階で認証が行なわれた場合に認証管理部２０３が優先エレベータ管理ＤＢ１０３の認証件数管理テーブルに格納する各階の認証件数管理情報の一例を示す。
【００４２】
認証件数管理テーブルは、ＩＤ５０１と、各階に該当する認証階５０２と、各階で認証された件数を格納する認証件数５０３を持つ。
【００４３】
図６は、図５のテーブルを認証件数６０３が多い順にソートしたものであり、図５とテーブル構造は同じため、説明を省略する。
【００４４】
図７は認証件数に応じて認証優先エレベータとして運用する台数を求めるための優先エレベータ管理ＤＢ１０３の認証優先エレベータ台数管理テーブルの定義情報の一例を示す。
【００４５】
認証優先エレベータ台数管理テーブルは、ＩＤ７０１と、認証優先エレベータの最低認証人数を定義した最低認証人数７０２と、最高認証人数を定義した最高認証人数７０３と、認証優先エレベータとして運用するエレベータ台数を定義した認証優先エレベータ台数７０４からなる。
【００４６】
管理者が登録（入力）する情報は、最低認証人数７０２と、最高認証人数７０３、および、認証優先エレベータ台数７０４である。管理者は認証優先エレベータ台数７０４を更新することで、認証優先エレベータとして運用するエレベータかご１０４の台数を任意に変更することができる。
【００４７】
認証件数管理テーブルは、認証管理部２０３が認証制御装置１０５から認証された認証要求を受け付けた階と認証可否の結果を受信した情報から作成、更新する。認証管理部２０３は、認証件数５０３の合計値を算出し、その結果を、認証優先エレベータ台数管理テーブルの最低認証人数７０２と最高認証人数７０３との間に含むＩＤ７０１の認証優先エレベータ台数７０４の情報を取得する。即ち、認証管理部２０３は、認証優先エレベータ運用台数を求め、取得する。
【００４８】
例えば、１Ｆの認証が３件、３Ｆの認証が２件、４Ｆの認証が１件、認証のない階は０件の認証があった場合、１Ｆ、３Ｆ、４Ｆの認証結果をそれぞれの階に該当するＩＤの認証件数５０３に登録し、登録した情報から認証件数５０３の合計件数を算出する。図５の場合は、合計件数は６件になる。この合計件数を、認証優先エレベータ台数管理テーブルの最低認証人数７０２と最高認証人数７０３との間に含むＩＤ７０１のＩＤの２の認証優先エレベータ台数７０４の値は２台のため、認証管理部２０３は、認証優先エレベータとして運用する台数が２台の情報を取得する。
【００４９】
また、認証管理部２０３は図５の認証件数５０３から件数が多い順に図６のようにテーブルをソートし、ソートしたテーブルを優先エレベータ設定部２０４に送信する。図６の場合だと、認証階が１ＦのＩＤ６０１のＩＤの１１１１の認証件数が一番多いため、一番上にソートされる。
【００５０】
図８は、優先エレベータ設定部２０４がエレベータかご制御装置１０２に各エレベータかご１０４の運用方法と運用時にエレベータかご１０４を移動させる停止階の情報を送信するための優先エレベータ管理ＤＢ１０３の運用管理テーブルのデータ構成図の一例である。
【００５１】
運用管理テーブルはエレベータかご１０４の台数と対応付いたエレベータかごＩＤ８０１と、時間優先エレベータによる運用か、認証優先エレベータによる運用か、通常のエレベータによる運用かを定義する運用方法８０２と、各運用時の停止階を定義した停止階Ａ８０３と、時間優先エレベータで運用する場合の２つ目の停止階を設定する停止階Ｂ８０４で構成されている。
【００５２】
エレベータかごＩＤ８０１はエレベータの台数分、１から番号を設定する。運用方法８０２は、時間優先エレベータの場合は「時間」、認証優先エレベータの場合は「認証」、通常のエレベータの場合は「通常」と設定される。停止階Ａ８０３には、時間優先エレベータの場合は、時間管理部２０１から受信した時間優先停止階Ａ３０４の情報を停止階Ａ８０３に設定する。認証優先エレベータの場合は、認証管理部２０３から受信した認証件数管理テーブルの認証件数５０３が１件以上である認証階５０２の情報を停止階Ａ８０３に設定する。通常エレベータの場合は、エレベータホール１１０の呼び出し釦１０７による呼び出しと、停止釦１０７に依存するため、停止階Ａ８０３は未設定となる。停止階Ｂ８０４には、時間優先エレベータの場合は、時間管理部２０１から受信した時間優先停止階Ｂ３０５の情報を停止階Ｂ８０４に設定する。認証優先エレベータおよび通常エレベータの場合、停止階Ｂ８０４は未設定となる。
【００５３】
このテーブルは、優先エレベータ設定部２０４が時間管理部２０１と認証管理部２０３から取得した情報を元に作成、更新され、時間優先エレベータ運用台数の台数分の時間優先エレベータ用のエレベータかごＩＤ８０１を作成し、認証優先エレベータ運用台数の台数分の認証優先エレベータ用のエレベータかごＩＤ８０１を作成する。エレベータかご１０４の総数から時間優先エレベータ及び認証優先エレベータの台数を引いた件数分、通常エレベータのエレベータかごＩＤ８０１を作成する。
【００５４】
図９は、上記時間優先エレベータと、通常のエレベータに加えて、認証優先エレベータによる運用が追加された場合の情報の構成図の一例である。構成は図８と同じため省略する。
【００５５】
図１０は、エレベータかご制御装置１０２がエレベータかご１０４の停止階を制御するための停止階情報を定義したエレベータかご制御ＤＢ１１１のエレベータかご管理テーブルの構成の一例である。
【００５６】
このテーブルは、エレベータかご制御装置１０２が作成し、更新している。構成として、建物の階層分だけ設定される階番号１００１と、停止釦１０７で押下された階等を設定する停止階１００２、呼び出し釦１０７が押下された階を設定する呼び出し階１００３を持つ。停止階１００２および呼び出し階１００３には、停止させる場合はｔｒｕｅ、停止させない場合はｆａｌｓｅを設定する。
【００５７】
時間優先エレベータ運用の場合は、エレベータかご制御装置１０２が呼び出し階１００３に、ｆａｌｓｅを設定し、停止階１００２には、時間優先停止階Ａ３０４、時間優先停止階Ｂ３０５の階に対応する階番号１００１だけにｔｒｕｅを設定し、残りの階番号１００１にはｆａｌｓｅを設定する。
【００５８】
認証優先エレベータ運用の場合は、エレベータかご制御装置１０２が呼び出し階１００３に、ｆａｌｓｅを設定し、停止階１００２には、停止釦１０８が押された階、及び認証された認証要求を受け付け、認証後一定時間内に呼び出し釦１０７が押下された階（認証件数５０３が１件以上である認証階５０２のうち認証後一定時間内に呼び出し釦１０７が押下された階）に対応する階番号１００１の停止階１００２にｔｒｕｅを設定する。
【００５９】
通常エレベータの場合は、エレベータかご制御装置１０２が呼び出し階１００３に、呼び出し釦１０７が押された情報で更新し（呼び出し釦１０７が押された階に対応する階番号１００１の呼び出し階１００３にｔｒｕｅを設定する）、停止階１００２には、停止釦１０７が押された情報で更新する（停止釦１０８が押された階に対応する階番号１００１の停止階１００２にｔｒｕｅを設定する）。
【００６０】
エレベータかご制御装置１０２は、呼び出し階１００３（通常エレベータの場合）と、停止階１００２でｔｒｕｅが設定されている階に移動方向順に対応するエレベータかご１０４を停止させる。例えば、図１０の場合、通常のエレベータ運用だと、１階、２階、３階、４階に停止し、優先エレベータ運用だと、１階、３階に停止する。
【００６１】
図１１は優先エレベータ設定部２０４が、認証管理部２０３及び／または時間管理部２０１から送信された情報を受信した場合に、優先エレベータ設定部２０４が運用管理テーブルを作成するときに、運用方法ごとにエレベータかご１０４の台数を振り分ける流れを示すフローチャートである。
【００６２】
まず、優先エレベータ制御装置１０１は、時間優先エレベータの運用を行なうかどうか時間管理部２０１から時間優先停止階Ａ３０４、時間優先停止階Ｂ３０５、時間優先エレベータ台数４０４の情報を優先エレベータ設定部２０４が受信するかどうか（即ち、時間帯区分Ａ３０２の時刻が到来して、時間管理部２０１が上述の情報を優先エレベータ設定部２０４に送信したかどうか）で判定する（１１０１）。時間優先エレベータによる運用を行なう場合は、時間管理部２０１から受信した時間優先停止階Ａ３０４、時間優先停止階Ｂ３０５、時間優先エレベータ台数４０４の情報を元に、図８に示す運用管理テーブルに設定する。（１１０２）。
【００６３】
次に、認証優先エレベータ制御を行なう必要があるか判定する（１１０３）。判定方法は先に述べた認証管理部２０３から認証件数管理テーブルと認証優先エレベータ台数７０４の情報を受信するかどうか（即ち、認証装置１０９が認証要求を受け付け、認証制御部１０５がこれを認証し、認証管理部２０３が上述の情報を優先エレベータ設定部２０４に送信し、認証後一定時間内に呼び出し釦１０７が押下されたかどうか）で判定を行う。認証優先エレベータ制御を行なう場合は、既に時間優先エレベータとして運用する設定がされているか判定する（１１０４）。判定方法は、運用管理テーブルの運用方法８０２に「時間」が設定されているかどうか検索することにより行う。
【００６４】
時間優先エレベータとして運用する設定が行なわれている場合、即ち、時間優先エレベータと認証優先エレベータが同時に運用される場合、時間優先エレベータより認証優先エレベータの運用を優先するため、時間優先エレベータの運用台数と、認証優先エレベータの運用台数と、通常エレベータの運用台数の振り分けを行なう（１１０５）。
【００６５】
そのため、まず時間優先エレベータの運用台数と認証優先エレベータの運用台数でどちらの台数が多いか判定する。判定の結果、時間優先エレベータの運用台数より認証優先エレベータの運用台数の方が多い場合、エレベータの台数は次のように設定する。便宜上以下の記号に置き換えて説明する。
Ａ  ：時間優先エレベータの運用台数
Ａ‘：切り替え後の時間優先エレベータの運用台数
Ｂ  ：認証優先エレベータの運用台数
Ｂ‘：切り替え後認証優先エレベータの運用台数
Ｃ  ：通常のエレベータとしての運用台数
Ｃ‘：切り替え後の通常のエレベータとしての運用台数
Ａ‘＝Ａ−Ｂ
Ｂ‘＝Ｂ
Ｃ‘＝Ｃ−（Ｂ−Ａ）
【００６６】
例えば、図８に示すように、合計のエレベータ台数が６台あり、Ａの台数が２台、Ｃの台数が４台で運用されている際に、Ｂを３台で運用したいリクエストがあるとする。この場合は、Ａを全てＢに振り分けてもＢのリクエストには１台足りない。そのため、Ｃから１台分Ｂに振り分けることで対応する。
【００６７】
時間優先エレベータの運用台数が認証優先エレベータの運用台数より多い、または同じ台数の場合、エレベータの台数は次のように設定する。
Ａ‘＝Ａ−Ｂ
Ｂ‘＝Ｂ
Ｃ‘＝Ｃ
【００６８】
例えば、合計のエレベータ台数が６台あり、Ａの台数が２台、Ｃの台数が４台で運用されている際に、Ｂを２台で運用したいリクエストがあるとする。その場合は、Ａを全てＢに振り分ければ対応できるため、Ｃの台数は変わらない。
【００６９】
振り分けた結果を元に、エレベータかご１０４を各運用方法に設定する情報を図９の構成で設定する（１１０６）。
【００７０】
優先エレベータ設定部２０４は、上記で作成した運用管理テーブルをエレベータかご制御装置１０２に送信する（１１０７）。
【００７１】
エレベータかご制御装置１０２は優先エレベータ設定部２０４から受信した運用管理テーブルを元に、図１０に示すエレベータかご管理テーブルを作成する。
【００７２】
図１２はエレベータかご制御装置１０２が優先エレベータ設定部２０４から各運用方法で運用する台数と停止階の情報を受信した際に、各エレベータかご１０４の運用方法を切り替える制御のフローチャートである。
【００７３】
まず、エレベータかご制御装置１０２は、各エレベータかご１０４の運用方法を設定、更新する（１２０１）。その際に運用方法を変更した場合は、音声装置１０６により、エレベータ内に運用方法が切り替わったことを通知する（１２０３）。例えば、通常エレベータから認証エレベータに変更した場合は、「認証エレベータによる運用を開始します」。時間優先エレベータから認証優先エレベータに変更した場合は、「○○階に到着後、このエレベータは認証優先エレベータとして運用します」など、エレベータ利用者に通知する。
なお、本実施形態では、音声装置１０６により通知を行っているが、通知手段は、これに限られず、例えば、運用方法を視認可能に表示（「通常」、「時間」、「認証」等）させること等により通知を行うことができる。
【００７４】
次に、エレベータかご制御装置１０２は、エレベータかご１０４の運用方法の種別を判定する（１２０４）。運用方法が時間優先エレベータ及び認証優先エレベータの場合は、エレベータかご管理テーブルの呼び出し階１００３を全てｆａｌｓｅに設定した後、エレベータかご管理テーブルを更新不可にして、現状押下されている停止釦１０８の階以外では止まらないようにする（１２０５）。通常エレベータの場合は、通常エレベータとして運用を開始する（１２０６）。
【００７５】
次に、現在のエレベータかご１０４の運行状態を確認し、停止釦１０８が押下されているか確認する（１２０７）。停止釦１０８が押されている場合は、その階に移動する（１２０８）。停止釦１０８が押された階に到着すると、音声装置１０６で現在停止釦１０８が押されている階に停止した後に時間優先または認証優先エレベータに切り替わるため、停止釦１０８を押せなくなることを通知する（１２０９）。
【００７６】
既に押されていた停止釦１０８の全ての停止階に止まった後、エレベータかご制御装置１０２は、エレベータかご１０４を時間優先エレベータ、または認証優先エレベータとして運用を開始する（１２１０）。エレベータかご管理テーブルの停止階１００２に、時間優先エレベータの場合は時間優先停止階Ａ３０４及び時間優先停止階Ｂ３０５の情報を元に該当する階番号１００１の停止階１００２にｔｒｕｅを設定する。認証優先エレベータの場合は、認証件数５０３が１件以上である認証階５０２のうち認証後一定時間内に呼び出し釦１０７が押下された階の情報を元に、該当する階番号１００１の停止階１００２にｔｒｕｅを設定する。
【００７７】
エレベータかご制御装置１０２は、エレベータかご管理テーブルの停止階１００２の情報を元に目的の階へ移動する。移動した後は、それぞれの運用方法に従って移動、停止を繰り返す。
【００７８】
例えば、１Ｆと８Ｆを時間優先停止階に設定した時間優先エレベータから認証優先エレベータに切り替わる場合、２Ｆで認証されたとすると、時間優先エレベータとして運用中のエレベータかご１０４は、認証優先エレベータに切り替わる。運用方法が切り替わったので、音声通知で認証優先エレベータに切り替わったことを通知する。元々時間優先エレベータのため、停止釦は押下できないので、エレベータかご制御装置１０２は、例えば、１Ｆに到着した時点で次の目的の階を２階に設定して認証優先エレベータとして運用を開始する。
【００７９】
上記の運用方法の切り替えにより以下の運用が可能となる。
図１０の場合、通常のエレベータ運用だと、１階、２階、３階、４階に停止し、優先エレベータ運用だと、１階、３階に停止する。
【００８０】
例えば、認証優先エレベータを利用したい利用者はエレベータホール１１０で認証装置１０９から認証要求を行なう。認証装置１０９は認証要求を受けるとその情報を認証制御装置１０５に送信する。
【００８１】
認証制御装置１０５は、認証装置１０９から認証要求の信号を受信し、認証可能と判定すると、認証管理部２０３に認証の情報を送信する。
【００８２】
認証管理部２０３は、認証制御装置１０５から認証の情報を受信すると、各階の認証件数から認証優先エレベータの運用台数を求め、優先エレベータ設定部２０４に台数と認証された認証要求のあった階の情報を送信する。
【００８３】
優先エレベータ設定部２０４では、上記の情報を受信すると、図１１のフローチャートにより割り当てるエレベータの台数を算出し、エレベータかご制御装置１０２に各運用方法で運用するエレベータの台数と、停止する階の情報を送信する。その際に、停止階は認証件数が多い階から優先して設定される。
【００８４】
エレベータかご制御装置１０２は、受信した情報及び認証後一定時間内に呼び出し釦１０７が押下された階の情報を下に図１０のエレベータかご管理テーブルを作成し、運用中のエレベータかご１０４を図１２のフローチャートにより運用方法の切り替えを行い、目的の階に移動させる。ここで、認証優先エレベータは他の階で呼び出し釦１０７が押下されていても、エレベータかご制御装置１０２が呼び出し階をｔｒｕｅに設定しないため目的の階にのみ移動、停止をする。
【００８５】
例えば、時間優先エレベータの場合は、図３に示すように１１：００から１１：５９の間は時間優先エレベータとして運用する。この時間の間は前日の利用頻度３０７が１５回のため、図４からエレベータかご１０４は３台で運用する。
【００８６】
途中、認証優先エレベータ利用者が大勢現れた場合、図１１のフローチャートに従い、一時的に台数が変更することもあるが、認証優先エレベータ同様、時間優先エレベータも他の階で呼び出し釦１０７が押下されていても、エレベータかご制御装置１０２が停止する階として設定しないため、目的の階である１Ｆと８Ｆにのみ移動、停止をする。
【００８７】
以上説明したように、本発明によれば、優先して目的地に移動できるエレベータ運用を行なうことが可能になる。これにより、これまでエレベータを利用したいタイミングで利用できなかった利用者により多くエレベータを利用してもらうことを可能とし、その際の目的階以外の階で停止する煩わしさを減少させることができる。
【符号の説明】
【００８８】
１０１：優先エレベータ制御装置
１０２：エレベータかご制御装置
１０３：優先エレベータ管理ＤＢ
１０４：エレベータかご
１０５：認証制御装置
１０６：音声装置
１０７：呼び出し釦
１０８：停止釦
１０９：認証装置
１１０：エレベータホール
１１１：エレベータかご制御ＤＢ
２０１：時間管理部
２０２：現在時刻認知部
２０３：認証管理部
２０４：優先エレベータ設定部
【図１】
2015040090.tif 000003
【図２】
2015040090.tif 000004
【図３】
2015040090.tif 000005
【図４】
2015040090.tif 000006
【図５】
2015040090.tif 000007
【図６】
2015040090.tif 000008
【図７】
2015040090.tif 000009
【図８】
2015040090.tif 000010
【図９】
2015040090.tif 000011
【図１０】
2015040090.tif 000012
【図１１】
2015040090.tif 000013
【図１２】
2015040090.tif 000014